(57)【要約】【課題】行動表示システムに関し、企業内の従業員がどのような行動状態（勤務状況）にあるのかを自動的に表示させる。【解決手段】勤怠管理端末１−１から出社又は退社の時刻情報を各従業員の識別情報と共に送信し、各従業員対応のパソコン１−２は起動又は終了したときに従業員の識別情報及び起動時刻又は終了時刻を送信し、各従業員が出入りする社屋内の各室の出入り口の近傍に設置された入退室管理端末１−３は、出入りする際に入力される従業員の識別情報及び自端末装置の識別情報を送信し、それらの情報はＬＡＮを介してサーバ１−４に送られ、サーバ１−４は各端末から入力される情報を基に、各従業員の居所又は行動状態を表す情報を生成し、該行動状態の情報を一覧表形式で電子ペーパー１−７に表示する。また、各従業員は、行動の予定情報をその開始時刻及び終了時刻と共に入力し、該行動予定情報も一覧形式で表示されるようにする。【選択図】図１
2008090444.tif 000002
【特許請求の範囲】
【請求項１】
企業内の従業員の居所又は行動状態を表示する行動表示システムであって、
各従業員の出社又は退社の際の操作により入力された各従業員の識別情報及び操作時刻情報を送信する勤怠管理端末と、
各従業員対応に備えられ、起動又は終了の操作がなされたときに、該従業員の識別情報及び起動時刻又は終了時刻を送信するパソコンと、
各従業員が出入りする社屋内の各室の出入り口の近傍に設置され、従業員が出入りする際に入力された従業員の識別情報及び自端末装置の識別情報を送信する入退室管理端末と、
前記勤怠管理端末、パソコン及び入退出管理端末とＬＡＮを介して接続され、前記勤怠管理端末、パソコン及び入退出管理端末から送信された情報を受信して格納し、該格納した情報を基に、各従業員の居所又は行動状態を表す情報を生成するサーバと、
前記サーバにより生成された各従業員の居所又は行動状態の情報を受信し、該各従業員の居所又は行動状態の情報を一覧表形式で表示する表示手段と、
を備えたことを特徴とする行動表示システム。
【請求項２】
前記表示手段は、前記サーバから送信された各従業員の居所又は行動状態の情報を受信する受信端末と、前記受信端末から出力されるグループ単位の従業員の情報を表示する電子ペーパーと、を備えたことを特徴とする請求項１に記載の行動表示システム。
【請求項３】
前記サーバは、前記勤怠管理端末、パソコン又は入退出管理端末から送信された情報を基に、各従業員の最新の居所又は行動状態を表す情報を生成することを特徴とする請求項１に記載の行動表示システム。
【請求項４】
前記サーバは、前記パソコンからアクセス可能なデータ入力画面の表示機能を備え、前記パソコンからブラウザにより該データ入力画面にアクセスして入力された、当該従業員の行動の予定開始時刻及び予定終了時刻を含む行動予約情報を、該従業員の識別情報と共に取り込んで格納し、該行動予約情報を基に各従業員の行動予定を表す情報を生成し、
前記表示手段は、前記サーバより生成された各従業員の居所又は行動状態の情報と共に各従業員の行動予定を表す情報を受信して表示することを特徴とする請求項１乃至３の何れかに記載の行動表示システム。
【請求項５】
前記表示手段は、前記各従業員の予定開始時刻と予定終了時刻との間の時間軸に沿った範囲内に、前記行動予定の内容を表示することを特徴する請求項４に記載の行動表示システム。
【発明の詳細な説明】
【技術分野】
【０００１】
本発明は、企業内のＬＡＮ（Local Area Network）に接続された各種端末から得られる情報を、ＬＡＮに接続されたサーバにより収集し、各種端末を操作した各従業員の行動を示す情報を、該従業員が所属する部・課単位に電子ペーパー等に表示させる行動表示システムに関する。
【背景技術】
【０００２】
昨今の企業では、従業員一人につき１台のパソコンを割り当て、部・課などのグループ単位にサーバを設け、それぞれのパソコンとサーバとをＬＡＮにより接続し、相互に連携して業務を遂行する職場形態が増えつつある。そのような職場形態に整備されるにつれて、サーバを利用した様々なソフトウェアシステムが開発・提案されている。
【０００３】
例えば、ＬＡＮのサーバに保存された表計算ソフトウェアのファイルを、ＬＡＮに接続されたグループ内のパソコンにより各従業員がアクセスし、通常のファイルの内容を変更するのと同じ方法で、各従業員が自身のパソコンから自身の行動予定のデータを、ＬＡＮを経由してサーバに登録し、部・課等のグループ単位で他の従業員が該サーバに登録されたグループ内の従業員全員の行動予定を、自身のパソコン上で閲覧することができる行動予定表示システムなどが提案されている。
【０００４】
また、専用端末とＧＰＳ（Global Positioning System）とを利用し、出張者が一日の行動を表す本人の位置情報及びその時刻情報を専用端末からセンターに逐次送信して保存することにより、出張者が出張先から帰社した後、センターに保存された情報を基に出張の日報報告を作成することできる日報作成システムが、下記の特許文献１などに開示されている。
【特許文献１】特許３３９９２８１号公報
【発明の開示】
【発明が解決しようとする課題】
【０００５】
しかしながら、上述した従来の行動予定表示システムでは、従業員が自身の行動予定の内容をパソコン等の端末から逐一入力してサーバ内の行動予定表に登録しないと、行動予定表は空白のままであるという問題点があった。また、急遽会議の予定が入った場合などは、予め登録しておいた予定内容と実際の行動とが一致しなくなってしまうという問題点があった。
【０００６】
本発明は上記の問題を解決し、従業員が自身の行動予定の内容を入力するのを失念するなどして、サーバ内の行動予定表に登録しなかった場合や、予め登録しておいた行動予定が急に変更になった場合などでも、行き先やどのような行動中か或いはこれからの行動予定等の情報を含む行動情報を自動的に情報収集し、表示することができる行動表示システムを提供することを目的とする。
【課題を解決するための手段】
【０００７】
上記課題を解決するため、本発明の行動表示システムは、企業内の従業員の居所又は行動状態を表示する行動表示システムであって、各従業員の出社又は退社の際の操作により入力された各従業員の識別情報及び操作時刻情報を送信する勤怠管理端末と、各従業員対応に備えられ、起動又は終了の操作がなされたときに、該従業員の識別情報及び起動時刻又は終了時刻を送信するパソコンと、各従業員が出入りする社屋内の各室の出入り口の近傍に設置され、従業員が出入りする際に入力された従業員の識別情報及び自端末装置の識別情報を送信する入退室管理端末と、前記勤怠管理端末、パソコン及び入退出管理端末とＬＡＮを介して接続され、前記勤怠管理端末、パソコン及び入退出管理端末から送信された情報を受信して格納し、該格納した情報を基に、各従業員の居所又は行動状態を表す情報を生成するサーバと、前記サーバにより生成された各従業員の居所又は行動状態の情報を受信し、該各従業員の居所又は行動状態の情報を一覧表形式で表示する表示手段と、を備えたことを第１の特徴とする。
【０００８】
また、前記表示手段は、前記サーバから送信された各従業員の居所又は行動状態の情報を受信する受信端末と、前記受信端末から出力されるグループ単位の従業員の情報を表示する電子ペーパーと、を備えたことを第２の特徴とする。
【０００９】
また、前記サーバは、前記勤怠管理端末、パソコン又は入退出管理端末から送信された情報を基に、各従業員の最新の居所又は行動状態を表す情報を生成することを第３の特徴とする。
【００１０】
また、前記サーバは、前記パソコンからアクセス可能なデータ入力画面の表示機能を備え、前記パソコンからブラウザにより該データ入力画面にアクセスして入力された、当該従業員の行動の予定開始時刻及び予定終了時刻を含む行動予定情報を、該従業員の識別情報と共に取り込んで格納し、該行動予定情報を基に各従業員の行動予定を表す情報を生成し、前記表示手段は、前記サーバより生成された各従業員の居所又は行動状態の情報と共に各従業員の行動予定を表す情報を受信して表示することを第４の特徴とする。
【００１１】
また、前記表示手段は、前記各従業員の予定開始時刻と予定終了時刻との間の時間軸に沿った範囲内に、前記行動予定の内容を表示することを第５の特徴とする。
【発明の効果】
【００１２】
本発明によれば、勤怠管理用端末とパソコンと入退室管理用端末とサーバとをＬＡＮにより接続し、勤怠管理用端末とパソコンと入退室管理用端末とから得られる各従業員の行き先や行動状態に関する情報をサーバで収集し、サーバは、それらの収集情報から各従業員の居所又は行動状態を表す情報を生成し、該情報を表示手段によって表示することにより、各従業員の居所や行動状態を自動的に表示することができる。また、それらを部・課等のグループ単位の部屋の壁面等に設置した電子ペーパーで表示することにより、グループ内の従業員の行動情報を一目で確認することが可能となる。
【発明を実施するための最良の形態】
【００１３】
図１は本発明による行動表示システムの全体構成を示す。本発明の行動表示システムは、勤怠管理端末１−１と各従業員のパソコン１−２と入退室管理端末１−３とサーバ１−４とがＬＡＮ１−５により接続されている。また、サーバ１−４には送信端末１−６が接続され、サーバ１−４は決められた時間毎にサーバ１−４内の登録情報を送信端末１−６に出力し、該送信端末１−６は該登録情報を、電子ペーパー１−７に接続された受信端末１−８へ送信する。受信端末１−８は、該登録情報を受信して電子ペーパー１−７に出力し、電子ペーパー１−７は該登録情報を表示する。
【００１４】
ここで、勤怠管理端末１−１は、時刻情報生成機能を内部に備え、各従業員が出社又は退社の際に操作することにより入力される従業員の識別情報及び出社時刻又は退社時刻を記録し、その情報をＬＡＮ１−５に接続されたサーバ１−４に送信する。尚、従業員の識別情報の入力は、予め従業員に配布したカードに識別情報を記録しておき、勤怠管理端末１−１に該カードを読み取る機能を設け、該機能により従業員の識別情報を読み取る構成としてもよい。
【００１５】
パソコン１−２は、各従業員が業務を遂行するために各従業員に配備され、各従業員は、出社後自身のパソコン１−２を起動し、業務活動を開始するが、そのとき、パソコン１−２は起動時に当該従業員の識別情報及び起動時刻をＬＡＮ１−５に接続されたサーバ１−４に送信する。また、パソコン１−２の稼動を終了させる際にも、従業員の識別情報及び終了時刻をサーバ１−４に送信する。尚、従業員の識別情報をパソコン１−２の端末番号やユーザＩＤ等の識別情報に置き換えても良い。
【００１６】
入退室管理端末１−３は、時刻情報生成機能を内部に備え、社屋内の各フロアの出入り口ドアや会議室等の各室の出入り口ドアの近傍に設置され、従業員は、フロアや会議室のドアから出入りするときに、入退室管理端末１−３に従業員の識別情報を入力後、入退室ボタンを押す。
【００１７】
入退室管理端末１−３は、このとき入力される従業員の識別情報、入退室時刻情報及び自端末装置の識別情報を、ＬＡＮ１−５により接続されたサーバ１−４に送信する。尚、従業員の識別情報の入力は、予め従業員に配布したカードに識別情報を記録しておき、入退室管理端末１−３に該カードを読み取る機能を設け、該機能により従業員の識別情報を読み取る構成としてもよい。その他、指紋情報を入力するなど、従業員を特定することができる機能を用いてもよい。
【００１８】
サーバ１−４は、勤怠管理端末１−１からの出社時刻情報及び退社時刻情報を含む勤怠情報、パソコン１−２からの起動時刻情報及び終了時刻情報を含むパソコン稼動情報、並びに入退室管理端末１−３からの入室時刻情報及び退室時刻情報を含む入退室情報を、ＬＡＮ１−５を通して受信する。受信した各情報は、データの種別毎に保存し、そのデータを基に行動表示情報を生成して送信端末１−６に送信する。
【００１９】
図２に本発明のサーバの構成を示す。受信部２−１は、勤怠管理端末１−１、パソコン１−２及び入退出管理端末１−３とＬＡＮ１−５を介して入力される上記勤怠情報、パソコン稼動情報及び入退室情報をそれぞれ受信する。データ格納部２−２は、受信部２−１より受信した各情報を蓄積し保持する。従業員情報部２−３は、各従業員の識別情報と氏名とを対応付けるデータを保有し、前述のデータ格納部２−２に格納された各従業員の識別情報と突合せを行って、対応する氏名情報を取り出す機能を備える。
【００２０】
また、入退出端末管理部２−４には、各入退出管理端末１−３が設置された各フロア又は各会議室等の各室の名称と、入退出管理端末１−３の識別番号との対応付けデータを保有し、前述のデータ格納部２−２に格納された入退出管理端末１−３の識別情報との突合せを行って、対応する各室の名称を取り出す機能を備える。
【００２１】
表示生成部２−５は、データ格納部２−２に格納された情報を基に、各従業員の居所又は行動状態等の行動情報を一覧表形式で表示する情報を生成する。表示名称部２−６は、電子ペーパー１−７等に表示する行動表示名の情報を保有し、前述の表示生成部２−５に格納された行動情報とデータの突合せを行い、行動表示名を取り出す。送信部２−７は、表示生成部２−５から出力される行動表示情報を、決められた時間毎に送信端末１−６に送信する。
【００２２】
図３の（ａ）は従業員情報部２−３に保有されるデータ例を示す。同図に示すように従業員情報部２−３は、各従業員の識別情報、氏名及びパソコン番号の対応付けデータを保有する。同図の（ｂ）は入退出端末管理部２−４に保有されているデータ例を示す。同図に示すように入退出端末管理部２−４は、入退出管理端末１−３の設置場所の名称及び識別情報（端末番号）との対応付けデータを保有する。
【００２３】
図３（ｃ）は、データ格納部２−２に格納されたデータ例を示す。同図は、従業員Ａ，Ｂ，Ｃ，Ｄ，Ｅの５名のグループ内に設置されたサーバ１−４内のデータ格納部のデータ例を示す。同図に示すように、勤怠管理端末１−１、パソコン１−２又は入退出管理端末１−３から入力される各情報を、それぞれ、従業員の識別情報（従業員番号）、氏名、送信端末の識別情報（送信端末番号）、受信情報種別及び発生時刻として対応付けて格納する。
【００２４】
尚、同図に示すデータ例は、勤怠管理端末１−１、パソコン１−２及び入退出管理端末１−３からの受信情報に対して、予め従業員の識別情報と氏名とを関連付けたデータを保有する従業員情報部２−３による突合せを行って氏名情報を取得し、入退室管理端末１−３の設置情報（例えば、Ｚ会議室に設置された入退室管理端末ＺＺＺ）を保有する入退出端末管理部２−４による突合せを行って室名情報を取得し、それらを取り込んだ行動表示情報のデータ例を示している。
【００２５】
以下、一例として従業員Ａに関する行動表示データについて説明する。従業員Ａは、出勤後、勤怠管理端末１−１に従業員識別情報“１１１１１１”を入力し、勤怠管理端末１−１に設置された出勤ボタンを押した後、自席のパソコン１−２を起動し、その際、ユーザＩＤ情報として、従業員識別情報“１１１１１１”を入力して稼動させたものとする。
【００２６】
この場合、サーバ１−４には、勤怠管理端末１−１に入力された従業員識別情報“１１１１１１”と発生時刻“２００６／０１／１６／０７５０００”と勤怠管理端末１−１の端末番号“Ｑ”が勤怠管理端末１−１から送信され、また、従業員識別情報“１１１１１１”とパソコン起動時刻“２００６／０１／１６／０７５５００”とパソコン端末番号“ＡＡＡ”がパソコン１−２から送信される。
【００２７】
サーバ１−４は、この情報を受信後、従業員情報部２−３に保有している従業員の氏名の情報を収集し、従業員識別情報、氏名、送信端末識別情報、受信情報種別及び発生時刻を、一覧表形式の各列名とし、入手した発生情報毎に１行ずつそれぞれの受信情報を格納する。同様の手順により、他の従業員Ｄ及び従業員Ｅの行動情報を蓄積し、従業員Ｄは、更に、入退室管理端末“ＺＺＺ”に従業員識別情報“１１１１１４”を入力し、入室ボタンを押したことにより、その情報が蓄積される。尚、従業員Ｂ及び従業員Ｃは、何れの端末の操作を行っていないので、データ格納部２−２にはデータが蓄積されていない。
【００２８】
図３の（ｄ）に表示生成部２−５のデータ例を示す。同図に示すように、従業員の識別情報、氏名、受信情報種別、表示可否及び表示名を対応付け、電子ペーパー１−７等の表示手段に表示するための情報を生成する。なお、表示する行動内容は、同一従業員に対して、最新の行動状態のみを表示する例を示している。
【００２９】
例えば、従業員Ａについて説明すると、図３（ｃ）に示す蓄積情報から、従業員Ａに関する最新情報は、パソコン起動時刻であり、その情報を基に最新の行動の表示名を“在席”とする。同様の手順により、従業員Ｄの行動状態の表示名を“会議”とし、従業員Ｅの行動状態の表示名を“在席”とする。尚、従業員Ｂ及び従業員Ｃは、各端末の操作を行っていないので、データが蓄積されていないが、その情報を基に、少なくとも社内には存在しないので、行動状態の表示名を“社外”とする。
【００３０】
図４は電子ペーパー１−７の表示例を示す。同図は、図３（ｄ）に示した表示生成部のデータ例を基に、２００６年１月１６日ａｍ１０：００現在での或るグループ内の各従業員の勤務状況の表示例である。該表示例は、予めサーバ１−４に、例えば３０分毎に表示生成部２−５のデータを送信する設定がなされているものとする。その他の実施形態として、表示生成部２−５のデータが更新されたときに更新後のデータを送信して電子ペーパー１−７の表示を更新する構成としてもよい。
【００３１】
また、前述の入退出管理端末１−３を各従業員のパソコン１−２の近傍に設置し、図３（ｂ）に示す設置場所の情報を各パソコン１−２の設置場所に設定することにより、従業員が他の従業員の室やフロアに打ち合わせ等で出向いた場合など、出向いた先の情報を該パソコン近傍の入退出管理端末１−３から収集する。こうすることにより、電子ペーパー１−７上に各従業員Ａ，Ｂ，Ｃ，Ｄ，Ｅの行動及び行き先が一覧表示されるので、各従業員がどのような勤務状況であるのかを瞬時に把握することができる。
【００３２】
図５はサーバ１−４の他の構成例を示す。同図において、受信部５−１は、勤怠管理端末１−１、パソコン１−２及び入退出管理端末１−３とＬＡＮ１−５を介して接続され、前述の勤怠情報、パソコン稼動情報及び入退室情報のほかに、各パソコン１−２から入力される各従業員自身の行動予約情報をそれぞれ受信する。
【００３３】
データ格納部２−２は、受信部５−１から受信した情報を蓄積し保持する。従業員情報部２−３は前述したとおり、各従業員の識別情報と氏名とを対応付けるデータを保有し、前述のデータ格納部２−２に格納された各従業員の識別情報と突合せを行って、対応する氏名情報を取り出す機能を備える。
【００３４】
表示生成部２−５は、データ格納部２−２に格納された情報を基に、各従業員の居所又は行動状態及び行動予約情報を含む行動情報を一覧表形式で表示する情報を生成する。表示名称部２−６は、電子ペーパー１−７等に表示する行動表示名の情報を保有し、前述の表示生成部２−５に格納された行動情報とデータの突合せを行い、行動表示名を取り出す。送信部２−７は、表示生成部２−５から出力される行動表示情報を、決められた時間毎に送信端末１−６に送信する。
【００３５】
図６（ａ）に行動予約の入力例を示す。各従業員は予め自身の行動予定を以下のようにして入力する。各従業員は、自身のパソコン１−２を起動後にブラウザを起動し、サーバ１−４の行動予約情報のデータ入力画面のページアドレスを選択し、該データ入力画面を表示し、該データ入力画面の入力欄から入力する構成とすることができる。入力情報は、自身の従業員の識別情報、行動名、予定開始時刻及び予定終了時刻を少なくとも入力するものとする。サーバ１−４は、入力された各従業員の予約情報をデータ格納部２−２に格納する。
【００３６】
図６（ｂ）にデータ格納部の行動予約情報を含むデータ例を示す。同図は、例えば、従業員Ａ，Ｂ，Ｃ，Ｄ，Ｅの５名のグループ内に設置されたサーバ１−４内のデータ格納部２−２のデータ例を表している。尚、同図の表示例では、勤怠管理端末１−１、パソコン１−２及び入退出管理端末１−３からの受信情報に対して、予め従業員の識別情報と氏名とを関連付けたデータを保有する従業員情報部２−３による突合せを行って氏名情報を取得し、入退室管理端末１−３の設置情報（例えば、Ｚ会議室に設置された入退室管理端末ＺＺＺ）を保有する入退出端末管理部２−４による突合せを行って室名情報を取得し、それらを取り込んだ行動表示情報のデータ例を示している。
【００３７】
以下、一例として従業員Ｂに関するデータ格納部２−２のデータについて説明する。従業員Ｂは、予め図６（ａ）に示す行動予約情報の入力を完了し、データ格納部２−２は、その情報を基に、従業員の識別情報“１１１１１２”、氏名“Ｂ”、送信端末番号“パソコンＢＢＢ”、受信情報種別“出張予定”、開始時刻“２００６／０１／１６／０８００００”、終了時刻“２００６／０１／１６／１８００００”に編集した情報を格納する。同様の手順により従業員Ｃの情報も格納される。尚、従業員Ａ、従業員Ｄ及び従業員Ｅは、図３（ｃ）に示した内容と同一であるので説明は省略するが、図３（ｃ）の「発生時刻」の列名を「開始時刻」に置き換えている。
【００３８】
図７の（ａ）は表示生成部の行動予約情報を含むデータ例を示す。同図に示すように、従業員の識別情報、氏名、受信情報種別、表示可否及び表示名を対応付け、電子ペーパー１−７等の表示手段に表示するための情報を生成する。ここでは、表示する内容は、同一従業員に対して、最新の時刻の行動情報のみを表示する例を示している。
【００３９】
一例として従業員Ｂについて説明すると、図６（ｂ）に示すデータ格納部のデータ例から、従業員Ｂに関する行動情報は“出張予定”であり、その表示名を“出張″とする。同様の手順により従業員Ｃの表示名を“休暇”とする。尚、従業員Ａ、従業員Ｄ及び従業員Ｅは、それぞれ各端末の操作を行っており、その端末の操作によって入力される情報を基に、従業員Ａ、従業員Ｄ及び従業員Ｅについて最新時刻の行動の表示情報を生成する。
【００４０】
図７（ｂ）は電子ペーパーの行動予約情報を含む表示例を示す。同図は、図７（ａ）の表示生成部のデータを基に、一例として２００６年１月１６日ａｍ１０：００現在での各従業員の勤務状況の表示例を示している。該表示例は、予めサーバ１−４に、３０分毎に表示生成部２−５のデータを送信する設定がなされているものとする。その他の実施形態として、表示生成部２−５のデータが更新されたときに更新後のデータを送信して電子ペーパー１−７の表示を更新する構成としてもよい。
【００４１】
各従業員の行動表示の欄は、時間軸に沿ってある程度の幅を持たせて表示し、例えば、従業員Ｂは、“出張”の行動予定を、予定開始時刻と予定終了時刻との間の時間軸に沿った範囲内に表示する。なお、従業員Ａ、従業員Ｄ及び従業員Ｅの表示開始時刻を、一律に会社の始業時刻の８：００を例として表示しているが、特にこの時刻に限られるものではない。また、従業員Ａ、従業員Ｄ及び従業員Ｅの行動の終了時刻として現在の時刻を表示しているが、この表示に限られるものではない。従業員Ｂ及び従業員Ｃについては、予約された行動予定の開始時刻と終了時刻を基に行動を表示している。
【００４２】
更に、行動予定時刻の入力は随時可能とし、同一日の行動に対して、各端末からの情報と予約情報とが同時に表示される構成としてもよい。本例のように、行動予定の情報を時間軸に沿って表示させることにより、各従業員がどのような行動予定であるのかの情報と現在の行動状態の情報とを一つの画面で表示することができる。
【図面の簡単な説明】
【００４３】
【図１】本発明による行動表示システムの全体構成を示す図である。
【図２】本発明のサーバの構成を示す図である。
【図３】本発明の従業員情報部に保有されるデータ例、入退出端末管理部に保有されているデータ例、データ格納部に格納されたデータ例及び表示生成部のデータ例を示す図である。
【図４】本発明の電子ペーパーの表示例を示す図である。
【図５】本発明のサーバの他の構成例を示す図である。
【図６】本発明の行動予約の入力例及びデータ格納部の行動予約情報を含むデータ例を示す図である。
【図７】表示生成部の行動予約情報を含むデータ例、電子ペーパーの行動予約情報を含む表示例を示す図である。
【符号の説明】
【００４４】
１−１  勤怠管理端末
１−２  パソコン
１−３  入退室管理端末
１−４  サーバ
１−５  ＬＡＮ
１−６  送信端末
１−７  電子ペーパー
１−８  受信端末
【図１】
2008090444.tif 000003
【図２】
2008090444.tif 000004
【図３】
2008090444.tif 000005
【図４】
2008090444.tif 000006
【図５】
2008090444.tif 000007
【図６】
2008090444.tif 000008
【図７】
2008090444.tif 000009